(57)【要約】      （修正有）【課題】身体の広い範囲の凝りの部分を一つの振動と揺動作用でもってほぐし、高いマッサージ効果を得ることのできる装具と、この装具を含む健康器具セットを提供する。【解決手段】装具を、肩当て部１４と背当て部と腰当て部を有するベスト状の装具本体１１と、頭部キャップ１２と、ふくらはぎ当て部１３とから構成する。それぞれの内面全体には弾力性のあるスポンジ体１６を貼り付ける。装具本体１１の背当て部に揺動付与装置３０により振動と揺動を付与し、この振動と揺動を頭部キャップ１２、ふくらはぎ当て部１３に伝達する。振動と揺動付与に際しては、座部５１および背もたれ部５２を備える腰掛け装置に腰掛け、リラックスした姿勢を取る。【選択図】図２
2009045078.tif 000002
【特許請求の範囲】
【請求項１】
両肩部を覆う左右の肩当て部と、背中を覆う背当て部と、腰部を覆う左右の腰当て部とを有するベスト状の装具本体を備えるとともに、この装具本体の内面全体に弾力性のある弾力部材を貼り付け、上半身に装着した状態の装具本体に対し、外側から振動を与えながら円軌道を描く様に揺動する揺動体を当て、もって当該揺動を前記弾力部材全体を介して身体に伝えるように構成されていることを特徴とする装具。
【請求項２】
前記装具本体を上半身に装着・取り外しするための腹部ベルトを前記左右の腰当て部に取付けてなることを特徴とする請求項１記載の装具。
【請求項３】
前記腹部ベルトに連結自在な肩部ベルトを前記左右の肩当て部に取付けてなることを特徴とする請求項２記載の装具。
【請求項４】
頭部に装着される頭部キャップをさらに備えるとともに、この頭部キャップの内面全体に弾力性のある弾力部材を貼り付け、この頭部キャップおよび前記装具本体の上部の間を、伸縮性をもつ揺動伝達部材により接続してなることを特徴とする請求項１ないし請求項３記載の装具。
【請求項５】
脚部のふくらはぎ部に装着されるふくらはぎ当て部をさらに備えるとともに、このふくらはぎ当て部の内面全体に弾力性のある弾力部材を貼り付け、前記ふくらはぎ当て部および前記装具本体の下部の間を、伸縮性をもつ揺動伝達部材により接続してなることを特徴とする請求項１ないし請求項３記載の装具。
【請求項６】
頭部に装着される頭部キャップと、脚部のふくらはぎ部に装着されるふくらはぎ当て部とをさらに備えるとともに、これら頭部キャップおよびふくらはぎ当て部の各内面全体に弾力性のある弾力部材を貼り付け、前記頭部キャップおよび前記装具本体の上部の間、前記ふくらはぎ当て部および前記装具本体の下部の間を、伸縮性をもつ揺動伝達部材によりそれぞれ接続してなることを特徴とする請求項１ないし請求項３記載の装具。
【請求項７】
請求項１ないし請求項６記載の装具と、装具本体に外側から当てた状態で振動を与えながら円軌道を描くように揺動する揺動体を含む揺動付与装置とを具備することを特徴とする健康器具セット。
【請求項８】
椅子式の腰掛け装置をさらに具備することを特徴とする請求項７記載の健康器具セット。
【発明の詳細な説明】
【技術分野】
【０００１】
本発明は、身体の広い範囲の凝りの部分を、一つの振動と揺動作用でもって、効果的にほぐすことのできる装具と、この装具を含む健康器具セットに関する。
【背景技術】
【０００２】
従来より、多種多様なマッサージ機が実用化されているが、その多くは多数の部品を組合わせた複雑な機構をもつ大型のもので、そのコストも高いものであった。
【０００３】
これに対し、簡易構造の器具として、使用者が自分で身体部位の加圧を行うようにしたものが提案されている（特許文献１等）。
【特許文献１】特開２０００−６０９３８号
【発明の開示】
【発明が解決しようとする課題】
【０００４】
しかし、以上の器具は、身体を局所的に加圧しまたはマッサージするものであり、肩や背中、腰、頭、足など、身体の広い範囲の凝りの部分を同時に効果的にマッサージできるものではなかった。
【０００５】
本発明は、前記課題に鑑みてなされたもので、身体の広い範囲の凝りの部分を一つの振動と揺動作用でもってほぐし、高いマッサージ効果を得ることのできる装具と、この装具を含む健康器具セットを提供することを目的とする。
【課題を解決するための手段】
【０００６】
上記課題を解決するために、本発明の請求項１に係る装具は、両肩部を覆う左右の肩当て部と、背中を覆う背当て部と、腰部を覆う左右の腰当て部とを有するベスト状の装具本体を備えるとともに、この装具本体の内面全体に弾力性のある弾力部材を貼り付け、上半身に装着した状態の装具本体に対し、外側から振動を与えながら円軌道を描く様に揺動する揺動体を当て、もって当該揺動を前記弾力部材全体を介して身体に伝えるように構成されていることを特徴とする。
【０００７】
請求項１に係る装具によると、振動を与えながら円軌道を描くように揺動する揺動体を装具本体に外から当てることにより、弾力部材の全体を振動を与えながら円軌道を描くように揺動させ、一つの振動と揺動作用でもって、両肩部から腰部に至る背中全体を中心にして、身体の広い範囲の凝りの部分を、弾力部材を介して緩やかにほぐすことができる。これにより、全身の血行を促進し、また、背中全体を緩やかに振動を与えながら円軌道を描くように揺動させることにより、内臓をも緩やかに揺動させて、胃や腸などの諸器官の機能の活性化を図ることができる。
【０００８】
本発明の請求項２に係る装具は、装具本体を上半身に装着・取り外しするための腹部ベルトを前記左右の腰当て部に取付けたことを特徴とする。
【０００９】
請求項２に係る装具によると、腹部ベルトにより、装具本体を上半身に簡単に装着・取外しできる。
【００１０】
本発明の請求項３に係る装具は、前記腹部ベルトに連結自在な肩部ベルトを前記左右の肩当て部に取付けてなることを特徴とする。
【００１１】
請求項３に係る装具によると、腹部ベルト、左右の肩部ベルトにより装具を上半身に確実に固定することができ、揺動体による振動と揺動を装具本体を通して背中全体に確実に伝達することができる。
【００１２】
本発明の請求項４に係る装具は、請求項１ないし請求項３の装具において、頭部に装着される頭部キャップをさらに備えるとともに、この頭部キャップの内面全体に弾力性のある弾力部材を貼り付け、この頭部キャップおよび前記装具本体の上部の間を、伸縮性をもつ揺動伝達部材により接続してなることを特徴とする。
【００１３】
請求項４に係る装具によると、背中全体に付与された振動と揺動を揺動伝達部材を介して頭部キャップに伝達して、頭部全体を揺動させ、一つの振動と揺動作用でもって、背中全体と頭部全体を同時に揺動させることができ、頭部全体の凝りの部分までも効果的にほぐすことができる。
【００１４】
本発明の請求項５に係る装具は、脚部のふくらはぎ部に装着されるふくらはぎ当て部をさらに備えるとともに、このふくらはぎ当て部の内面全体に弾力性のある弾力部材を貼り付け、前記ふくらはぎ当て部および前記装具本体の下部の間を、伸縮性をもつ揺動伝達部材により接続してなることを特徴とする。
【００１５】
請求項５に係る装具によると、背中全体に付与された振動と揺動を揺動伝達部材を介してふくらはぎ当て部に伝達して、ふくらはぎ部全体を揺動させ、一つの振動と揺動作用でもって、背中全体とふくらはぎ部全体を同時に揺動させることができ、ふくらはぎ部の凝りの部分までも効果的にほぐすことができる。
【００１６】
本発明の請求項６に係る健康器具セットは、請求項１ないし請求項６記載の装具と、装具本体に外側から当てた状態で振動を与えながら円軌道を描くように揺動する揺動体を含む揺動付与装置とを具備することを特徴とする。
【００１７】
請求項６に係る健康器具セットによると、一つの振動と揺動作用で、背中全体を中心とした、身体の広い範囲の凝りをほぐすことができる器具を、簡素な構造で、実現することができる。
【００１８】
本発明の請求項７に係る健康器具セットは、椅子式の腰掛け装置をさらに具備することを特徴とする。
【００１９】
請求項７に係る健康器具セットによると、椅子式の腰掛け装置に腰掛けたリラックスした姿勢で、背中全体を同時にかつ均一にマッサージすることができる健康器具セットを実現することができる。
【発明の効果】
【００２０】
以上説明したように、本発明に係る装具によると、振動を与えながら円軌道を描くように揺動する揺動体を装具本体に外から当てることにより、弾力部材の全体を振動を与えながら円軌道を描くように揺動させ、一つの振動と揺動作用でもって、身体の広い範囲の凝りの部分をほぐし、高いマッサージ効果を得ることができる効果を奏する。全身の血行を促進し、疲労回復や、内臓諸器官の機能の活性化を図ることができる。
【００２１】
また、本発明に係る健康器具セットによると、上記のような高いマッサージ効果を得ることのできる器具を、簡素な構造で、実現できる効果を奏する。
【発明を実施するための最良の形態】
【００２２】
以下、本発明の実施の形態を図面を参照して説明する。これらの図において、符号１０は本発明に係る装具、符号３０は装具に揺動を付与する揺動付与装置、符号５０は腰掛け装置をそれぞれ示し、これら装具１０、揺動付与装置３０、腰掛け装置５０によって健康器具セットが構成されている。
【００２３】
図１において、本発明に係る装具１０は、点線で示す身体１の両肩部から首の後ろ部分、背中、腰部にかけて覆うとともに、上半身に装着されるベスト状の装具本体１１と、身体１の頭部２に装着される頭部キャップ１２と、下半身の脚部３の左右のふくらはぎ部に装着される左右のふくらはぎ当て部１３，１３とを備えている。装具本体１１の上部と頭部キャップ１２の後部の間は、面ファスナー１１ａ，１２ａ同士の接合により上側揺動伝達部材１４によって、また、装具本体１１の下部と左右のふくらはぎ当て部１３，１３の間は、面ファスナー１１ａ，１３ａ同士の接合により下側揺動伝達部材１５によって、それぞれ接続されている。これら上側および下側揺動伝達部材１４，１５はいずれも縦方向に伸縮性をもち、装具本体５に付与された振動と揺動をそれぞれ頭部キャップ１２、ふくらはぎ当て部１３に同時に伝達する役目をする。
【００２４】
装具本体１１、頭部キャップ１２、ふくらはぎ当て部１３のそれぞれの内面（身体１の各部位に当接する側）には弾力性のあるスポンジ体（弾力部材）１６が全体に貼り付けられ、固着されている。これらのスポンジ体１６は、装具本体１１、頭部キャップ１２、ふくらはぎ当て部１３に付与された揺動を身体１の各部（背中全体、頭部、ふくらはぎ部）に緩やかにかつ均一に伝達する役目をする。
【００２５】
装具本体１１の背当て部１８の下部両側には腰部の両脇を覆うように左右一対の腰当て部１９,１９が前方に向け突出するが、この一対の腰当て部１９,１９には幅広の腹部ベルト２０,２０がそれぞれ取り付けられている。この腹部ベルト２０は腹部の前方で面ファスナー２０ａ同士を接合して着脱できるようになっている。また、装具本体１１の上端左右の肩当て部１７,１７にも、両肩部から腹部ベルト２０にかけてＸ形にたすき掛けされる一対の肩部ベルト２１,２１が取り付けられている。
【００２６】
かかる装具本体１１は、腹部の前で腹部ベルト２０の面ファスナー２０ａ同士を接合し、肩部ベルト２１,２１を胸部の前でたすき掛けして、面ファスナー２１ａを腹部ベルト２０側の面ファスナー（図示せず）に接合し、これにより装具本体１１を上半身にぴったりと装着し、固定するようになっている。また、装具本体１１の背当て部１８の外面の、後述する揺動円板３１が当たる部分にはスポンジ体１６を貼り付けるようにしてよく、揺動円板３１の背中への当たりをさらに柔らかくすることができる。
【００２７】
図２ないし図５において、揺動付与装置３０は、装具１０（装具本体１１、頭部キャップ１２、ふくらはぎ当て部１３）に揺動を付与する装置である。この揺動付与装置３０は、装具本体１１の背当て部１８に外側から当てられ振動を与えながら円軌道を描くように揺動する揺動円板３１と、この揺動円板３１を揺動させるモーター３２と、このモーター３２の回転動作を揺動円板３１の揺動動作に変換する変換機構３３と、モーター３２および変換機構３３を収容する収容ボックス３４と、収容ボックス３４を所定の向き及び角度に固定し、支持する支持スタンド３５と、支持スタンド３５を垂直姿勢に取付け固定するベース３６とから構成されている。
【００２８】
支持スタンド３５は、ベース３６上に立設する円筒パイプからなるスタンド本体３５ａと、スタンド本体３５ａの上端開口部に挿入支持され、垂直軸周りに回動および回動を固定できる円筒パイプからなる水平アーム３５ｂとからなる。この水平アーム３５ｂの先端開口部には、収容ボックス３４の背面支持部３４ａに水平支持された水平軸３４ｂが水平軸周りに回動可能に挿入支持されている。水平アーム３５ｂは、途中のヒンジ３５ｃにより、水平部分を起立させることができる。スタンド本体３５ａの上端側部には水平アーム３５ｂの固定および固定の解除のための操作レバー３７が、水平アーム３５ｂの先端側部には収容ボックス３４の固定および固定の解除のための操作レバー３８がそれぞれ設けられている。
【００２９】
収容ボックス３４内において、モーター３２の回転軸３２ａには揺動円板３１用の偏心軸３３ａが一体に取付固定され、この偏心軸３３ａの外側に軸受３９の内輪３９ａが一体に嵌め合わされ、内輪３９ａの外側に玉３９ｃを介して軸受３９の外輪３９ｂが相対回転可能に嵌め合わされている。軸受３９のフランジ部前面に揺動円板３１の背面が一体に取付固定されている。
【００３０】
揺動円板３１の偏心軸３３ａはモーター３２の回転軸３２ａに対して斜め方向を向くように設けられることにより、モーター３２の回転に伴い揺動円板３１が背当て部１８に振動と揺動作用を同時に与えるようになっている。この揺動円板３１は、その前面に背当て部１８への当たりを柔らかくするスポンジ体１６が貼付固着されるとともに、収容ボックス３４の前面開口部に取り付けられた布材４０により覆われている。この布材４０は揺動円板３１の揺動に追従可能な伸縮性を備えている。
【００３１】
モーター３２から延びる電源コード４１の途中には、図５に示すように、電源をオンオフする電源スイッチ４２と、モーター３２の回転を低速・中速・高速に切り替える回転速度切り替えスイッチ４３を含む制御ボックス４４が設けられている。
【００３２】
図２ないし図５において、腰掛け装置５０は、椅子式であり、腰を降ろす座部５１と、座部５１に取り付けられ座部５１に対し傾斜角度を可変とする枠状の背もたれ部５２と、座部５１をベース３６の上面に回転自在に支持する回転部５３と、座部５１の上に腰を降ろした状態で、左右の脚部３を載せる枠状の脚載せ部台５４とを備えている。脚載せ台５４は座部５１の前部に着脱可能に取り付けられている。座部５１の下面には門形のスライド部材５５が取付けられ、該スライド部材５５を回転部５３上面の前後に延びるガイドレール上にスライドさせて、揺動付与装置３０に対する座部５１の前後位置を調整することができる。背もたれ部５２の内側にはスプリング等の弾発部材を配置して、弾発部材により装具本体１１の背当て部１８を支えるようにしてもよい。
【００３３】
装具１０、揺動付与装置３０の、腰掛け装置５０に対する各配置関係を説明すると、座部５１の上に腰を降ろした状態で、上半身に装着した装具本体１１の背当て部１８が背もたれ部５２の枠の内側空間に位置する。この状態で、揺動付与装置３０の揺動円板３１は背当て部１８のちょうど真後ろに位置し、収容ボックス３４を水平支持する支持スタンド３５は、座部５１の一側方かつ後方に位置する。装具本体１１の下部には面ファスナー１１ａ，１５ａ同士を接合して下側揺動伝達部材１５を取付け、この下側揺動伝達部材１５は、プーリー５６を介して座部５１の下を通り、脚載せ台５４の真下に達している。
【００３４】
脚載せ台５４は、左右の脚部３のふくらはぎ部を載せるもので、前後の水平バー５４ａ、５４ａの上にちょうど左右のふくらはぎ部が位置するようになっている。そして、前記の下側揺動伝達部材１５の先端が後方の水平バー５４ａの上を通り、ふくらはぎ当て部１３,１３の後端部に対し面ファスナー１５ａ，１３ａ同士を接合して着脱可能に接続されている。各ふくらはぎ当て部１３，１３の前端部には図示しない面ファスナー同士を接合して左右一対の引っ張り部材２３，２３の後端部が取付けられている。各引張り部材２３，２３の前端部は、脚載せ台５４の前方に延び足のかかとを載せるＴ形またはＬ形のステー５７の先端に固定されている。
【００３５】
次に、以上のように構成された健康器具セットを用いて、身体１の凝り部分をほぐす手順を説明する。
【００３６】
揺動付与装置３０の操作レバー３７,３８を操作して、背もたれ部５２に対する揺動円板３１の上下・左右・上下角度位置を調整し、座部５１に腰を降ろす。座部５１の前後位置を調整し、脚載せ台５４に脚部５,５を載せる。脚載せ台５４上のふくらはぎ当て部１３，１３に対し、面ファスナー１３ａ，１５ａ同士を接合して、下側揺動伝達部材１５，１５を接合する。脚部ベルト２２を装着し、ふくらはぎ部にふくらはぎ当て部１３，１３を装着固定する。
【００３７】
次ぎに、背もたれ部５２にセットされた装具本体１１を上半身に装着し、頭部２に頭部キャップ１２を装着する。頭部キャップ１２を頭部２に装着したら、上側揺動伝達部材１４の上側の面ファスナー１４ａを頭部キャップ１２の面ファスナー１２ａに接合する一方、上側揺動伝達部材１４の下側の面ファスナー１４ａを装具本体１１の上側の面ファスナー１１ａに接合する。最後に、下側揺動伝達部材１５の上側の面ファスナー１５ａを装具本体１１の下側の面ファスナー１１ａに対し接合する。
【００３８】
回転速度切り替えスイッチ４３を低速（約３００〜４００回転／分）に設定し、電源スイッチ４２をオンにする。モーター３２が回転駆動し、揺動円板３１が一定の円を描くように揺動すると、背当て部１７の外面及び内面の各スポンジ体１６も同調して一定の円を描くように揺動する。揺動円板３１の偏心軸３３ａはモーターの回転軸３２ａに対し斜め方向に設けられているから、背当て部１７の外面及び内面の各スポンジ体１６に対し、振動と揺動を同時に作用せしめる。この振動と揺動作用は、上下の揺動伝達部材１４,１５を通じて頭部キャップ１２および左右のふくらはぎ当て部１３,１３にも伝達される。
【００３９】
装具本体１１にあってはその内面のスポンジ体１６が両肩部から背中、腰部にかけて、頭部キャップ１２にあってはその内面のスポンジ体１６が頭部２全体に、左右のふくらはぎ当て部１３,１３にあってはその内面のスポンジ体１６がふくらはぎ部全体に、それぞれ緩やかに振動と揺動を与え、身体の広い範囲の凝りの部分をほぐす。
【００４０】
揺動円板３１による一つの振動と揺動作用で、背中を中心として、頭部２から脚部３にかけて、全身の凝りの部分をほぐすことができる。揺動を強くしたい場合は、回転速度切り替えスイッチ４３を中速、高速と切り替えればよい。回転速度切り替えスイッチ４３は、無段階とすることもでき、その場合はちょうど程よい強さの値に設定することができる。揺動を停止するときは、電源スイッチ４２をオフとする。電源スイッチ４２はタイマー式にしてもよく、例えば５分または１０分で電源が切れるようにすることができる。
【００４１】
座部５１は回転部５３によりベース３６上の軸３６ａ回りに回転自在とされているので、図６に示すように、座部５１を１８０度回転させると、腹部側にスポンジ体１６を介して揺動円板３１を当てて、腹部にゆるやかな振動と揺動を与えることができる。すなわち、座部５１を背もたれ部５２と共に１８０度回転させると、支持スタンド３５で支持された収容ボックス３４の前面側に身体１の腹部が位置し、電源スイッチ４２をオンして、モーター３２を駆動させると、揺動円板３１が円を描くようにして腹部に振動と揺動を与える。これにより、腹部側から内蔵をマッサージし、胃や腸などの内部諸器官を活性化させることができる。また、腹部の脂肪を効率よく燃焼させ、消滅させることができる。なお、収容ボックス３４はヒンジ３５ｃにより横方に退避させることができるので、腰を降ろす際に収容ボックス３４が邪魔になることがない。
【００４２】
装具本体１１は、両肩当て部を延長して左右の前身頃部を形成し、上下に延びるファスナー部を設けて両前身頃部を着脱可能としてもよい。両前身頃部の内側には前面にスポンジ体を設けるとよい。弾力部材としてはスポンジ体に限らず、弾力性を有するその他の部材（例えば柔らかいゴム部材や合成樹脂材など）であってもよい。
【００４３】
装具本体１１を装着し、背当て部１８を上にして仰向けに寝た姿勢を取り、揺動付与装置３０の揺動円板１１を下向きにセットして、背当て部１８の上から、振動と揺動作用を背中全体に付与し、全身をマッサージする使い方も可能である。
【産業上の利用可能性】
【００４４】
本発明に係る装具は、身体に緩やかな振動と揺動を与えて、身体の広い範囲の凝りの部分をほぐすのに適した装具として利用可能である。
【図面の簡単な説明】
【００４５】
【図１】本発明に係る装具の全体斜視図である。
【図２】本発明に係る装具を身体に装着して腰掛け装置に腰を掛け、揺動付与装置により背中側から振動と揺動を付与している状態を示す側面図である。
【図３】図２の状態を背面から見た状態を示す図である。
【図４】振動付与装置の内部を示す要部断面図である。
【図５】図２の振動付与装置の電源および速度調整のためのスイッチを示す平面図である。
【図６】図２に示す腰掛け装置を１８０度回転させて、腹部側から振動と揺動を付与している状態を示す側面図である。
【符号の説明】
【００４６】
１  身体
２  頭部
３  脚部
１０  装具
１１  装具本体
１２  頭部キャップ
１３  ふくらはぎ当て部
１４  上側揺動伝達部材
１５  下側揺動伝達部材
１６  スポンジ体
１７  肩当て部
１８  背当て部
１９  腰当て部
２０  腹部ベルト
２１  肩部ベルト
２２  脚部ベルト
２３  引張り部材
３０  揺動付与装置
３１  揺動円板（揺動体）
３２  モーター
３２ａ  回転軸
３３  変換機構
３３ａ  偏心軸
３４  収容ボックス
３５  支持スタンド
３５ａ  スタンド本体
３５ｂ  水平アーム
３５ｃ  ヒンジ
３６  ベース
３６ａ  軸
３７,３８  操作レバー
３９  軸受
３９ａ  内輪
３９ｂ  外輪
３９ｃ  玉
４０  布材
４１  電源コード
４２  電源スイッチ
４３  回転速度切り替えスイッチ
４４  制御ボックス
５０  腰掛け装置  
５１  座部
５２  背もたれ部
５３  回転部
５４  脚載せ台
５４ａ  水平バー
５５  スライド部材
５６  プーリー
５７  ステー
【図１】
2009045078.tif 000003
【図２】
2009045078.tif 000004
【図３】
2009045078.tif 000005
【図４】
2009045078.tif 000006
【図５】
2009045078.tif 000007
【図６】
2009045078.tif 000008